(57)【要約】【課題】施工時に継目をオーバラップさせて使用する場合にも、養生シートが簡単に捲れ上がらず、継目に隙間ができず、雨水等が床パネル面などに浸入するおそれがなく、養生シートが不要となったときには床パネル面などから剥離し易くなり、その剥離作業に手間がかからない養生シートを提供する。【解決手段】合成樹脂シート１の片面に粘着剤層２を設けたものとし、長さ方向の両側部１ａ、１ａに設けた粘着剤層２の粘着力を、長さ方向の中央部１ｂに設けた粘着剤層２の粘着力より強くしたものとしている。【選択図】図１
2009197519.tif 000002
【特許請求の範囲】
【請求項１】
合成樹脂シート（１）の片面に粘着剤層（２）を設けたシート状物において、長さ方向の両側部（１ａ、１ａ）に設けた粘着剤層（２）の粘着力を、長さ方向の中央部（１ｂ）に設けた粘着剤層（２）の粘着力より強くしたことを特徴とする養生シート。
【請求項２】
前記両側部（１ａ、１ａ）の粘着剤層（２）のそれぞれの幅と、中央部（１ｂ）の粘着剤層（２）の幅の割合を、０．９〜１．１：７．８〜８．２にしたことを特徴とする請求項１記載の養生シート。
【請求項３】
前記両側部（１ａ、１ａ）の粘着剤層（２）の粘着力を３．０〜５．５Ｎ／２５ｍｍにし、中央部（１ｂ）の粘着剤層（２）の粘着力を１．０〜２．９Ｎ／２５ｍｍにしたことを特徴とする請求項１記載の養生シート。
【発明の詳細な説明】
【技術分野】
【０００１】
この発明は、住宅などの施工時に床面などを覆って、土や泥、材木の破片、雨水などから床面を保護する養生シートに関するものである。
【背景技術】
【０００２】
従来、この種の養生シートとしては、例えば図５に示したように、合成樹脂シート１１の表面に多数の凹凸１２が形成され、裏面全面に、シート剥離時に床パネル面に残らないアクリル系樹脂製の粘着剤層１３が形成されたものが存在した（特許文献１）。
【０００３】
このような従来の養生シートは、合成樹脂シート１１の表面に多数の凹凸１２が形成されたものであるため、降雨等により水が溜まったり又は面上が濡れていたり、あるいは施工作業者の靴に泥が付着していても、養生シート面が滑り難く、作業者が安全に施工作業を行えるとしている。
【０００４】
さらに、この種の養生シートとしては、例えば図６に示したように、合成樹脂フィルム２１の裏面に粘着剤層２２を設けたシート状物において、合成樹脂フィルム２１表面の長さ方向に沿った少なくとも１〜１０ｃｍ幅の合成樹脂フィルム帯状平坦部２３を有し、且つこの平坦部がプラズマ加工されているとともに、それ以外の全部分に合成樹脂フィルム凹凸部２４を設けてなるものが存在した（特許文献２）。
【０００５】
このような従来の養生シートは、床パネル面に合成樹脂フィルム帯状平坦部２３どうしを重ねて貼着することにより、家屋建築中における降雨等による水の床パネル面や床材中への浸入を防止できるとしている。さらに、この養生シートの表面には、全体に凹凸形状が形成されているので、床面パネル面上に敷設されたこの養生シート上に足を踏み入れて作業をしても足を滑らすことなく安全に作業を続けることができるとしている。
【特許文献１】実用新案登録第２５９９８１１号公報
【特許文献２】特許第３２８１２１９号公報
【発明の開示】
【発明が解決しようとする課題】
【０００６】
ところで、上記特許文献１に開示された従来の養生シートは、合成樹脂シート１１の表面に多数の凹凸１２が形成されているため、滑りにくいという利点があるが、養生シートどうしを継ぎ合わせる場合に、継目に隙間ができ、雨水等が床パネル面に浸入するおそれがある。そのため、この養生シートでは、合成樹脂シートの表裏に予めコロナ処理等を施して、接着性を向上させたものとするのが、施工時に継目をオーバラップさせて使用する場合、裏面の粘着剤がシート表面に接着し易くなるので好適であるとしている。
【０００７】
しかしながら、従来の養生シートのように裏面全域の接着性を向上させたものとすると、この養生シートが不要となったときに床パネル面から剥離し難くなり、その剥離作業に手間がかかるという問題点を有していた。
【０００８】
さらに、上記特許文献２に開示された従来の養生シートは、合成樹脂フィルム２１の裏面の全域に設けた粘着剤層２２の粘着力を強いものにすると、施工時に継目をオーバラップさせて使用する場合に、養生シートが簡単に捲れ上がらないので、継目に隙間ができず、雨水等が床パネル面に浸入するおそれがないが、この養生シートが不要となったときに床パネル面から剥離し難くなり、その剥離作業に手間がかかるという問題点を有するものとなる。
【０００９】
また、この従来の養生シートは、合成樹脂フィルム２１の裏面の全域に設けた粘着剤層２２の粘着力を弱いものにすると、この養生シートが不要となったときに床パネル面から剥離し易くなり、その剥離作業に手間がかからないが、施工時に継目をオーバラップさせて使用する場合には、養生シートが簡単に捲れ上がることがあり、継目に隙間ができて、雨水等が床パネル面に浸入するおそれがあるという問題点を有するものとなる。
【００１０】
そこで、この発明は、上記従来の問題点を解決するものであり、施工時に継目をオーバラップさせて使用する場合にも、養生シートが簡単に捲れ上がらず、継目に隙間ができず、雨水等が床パネル面などに浸入するおそれがなく、養生シートが不要となったときには床パネル面などから剥離し易くなり、その剥離作業に手間がかからない養生シートを提供することを目的としてなされたものである。
【課題を解決するための手段】
【００１１】
この発明の養生シートは、合成樹脂シート１の片面に粘着剤層２を設けたものとし、長さ方向の両側部１ａ、１ａに設けた粘着剤層２の粘着力を、長さ方向の中央部１ｂに設けた粘着剤層２の粘着力より強くしたものとしている。
【００１２】
そして、この発明の養生シートは、前記両側部１ａ、１ａの粘着剤層２のそれぞれの幅と、中央部１ｂの粘着剤層２の幅の割合を、０．９〜１．１：７．８〜８．２にしている。
【００１３】
さらに、この発明の養生シートは、前記両側部１ａ、１ａの粘着剤層２の粘着力を３．０〜５．５Ｎ／２５ｍｍにし、中央部１ｂの粘着剤層２の粘着力を１．０〜２．９Ｎ／２５ｍｍにしている。
【発明の効果】
【００１４】
この発明の養生シートは、以上に述べたように構成されているので、施工時に継目をオーバラップさせて使用する場合には、養生シートが簡単に捲れ上がらず、継目に隙間ができず、雨水等が床パネル面などに浸入するおそれがないものとなり、使用性能に優れたものとなった。
【００１５】
さらに、この発明の養生シートは、不要となったときには、床パネル面などから剥離し易くなり、その剥離作業に手間がかからないものとなり、作業性能に優れたものとなった。
【発明を実施するための最良の形態】
【００１６】
以下、この発明の養生シートを実施するための最良の形態を、図面に基づいて詳細に説明する。
【００１７】
この発明の養生シートは、図１〜４に示したように、合成樹脂シート１の片面の全域に粘着剤層２を設けたシート状物において、長さ方向の両側部１ａ、１ａに設けた粘着剤層２の粘着力を、長さ方向の中央部１ｂに設けた粘着剤層２の粘着力より強くしたものとしている。このようにするには、前記両側部１ａ、１ａの粘着剤層２の粘着力を、通常の粘着力とし、前記中央部１ｂの粘着剤層２の粘着力を、通常の粘着力より弱くしたものとしたり、前記両側部１ａ、１ａの粘着剤層２の粘着力を、通常の粘着力より強くし、前記中央部１ｂの粘着剤層２の粘着力を、通常の粘着力としたものとしたり、さらに前記両側部１ａ、１ａの粘着剤層２の粘着力を、通常の粘着力より強くし、前記中央部１ｂの粘着剤層２の粘着力を、通常の粘着力より弱くしたものとすることができる。この場合、前記両側部１ａ、１ａと前記中央部１ｂは、図２に示したように、粘着剤層２の厚さを同一にして並列させて塗布したり、図３に示したように、粘着剤層２の厚さを中央部１ｂより両側部１ａ、１ａを厚くして並列させて塗布したり、図４に示したように、粘着剤層２を合成樹脂シート１の片面の全域に塗布し、さらに粘着剤層２を両側部１ａ、１ａにおいて重ね塗りしたものとすることができる。なお、前記両側部１ａ、１ａの粘着剤層２の粘着力と、前記中央部１ｂの粘着剤層２の粘着力が同一であっても、前記両側部１ａ、１ａの粘着剤層２の厚さを、中央部１ｂの粘着剤層２の厚さより厚くすることにより、両側部１ａ、１ａの粘着力を、中央部１ｂの粘着力より強くしたものとすることもできる。
【００１８】
前記合成樹脂シート１において、両側部１ａ、１ａの粘着剤層２のそれぞれの幅と、中央部１ｂの粘着剤層２の幅の割合は、０．５〜１．５：７．０〜９．０にしているが、０．９〜１．１：７．８〜８．２にするのが好ましい。すなわち、前記合成樹脂シート１の全幅を１００ｃｍにした場合には、両側部１ａ、１ａの粘着剤層２のそれぞれの幅を５〜１５ｃｍ、好ましくは９〜１１ｃｍにし、中央部１ｂの幅を７０〜９０ｃｍ、好ましくは７８〜８２ｃｍにした。
【００１９】
前記合成樹脂シート１において、両側部１ａ、１ａの粘着剤層２の粘着力は、３．０Ｎ以上／２５ｍｍ、好ましくは３．０〜５．５Ｎ／２５ｍｍにし、中央部１ｂの粘着剤層２の粘着力は、３．０Ｎ未満／２５ｍｍ、好ましくは１．０〜２．９Ｎ／２５ｍｍにした（粘着力は、粘着テープ・粘着シート試験方法に基づくＪＩＳ  Ｚ  ０２３７：１８０度引き剥がし粘着力の測定値による）。
【００２０】
さらに、前記合成樹脂シート１としては、ポリエチレン、ポリプロピレン、ポリ塩化ビニルなどの防水性、耐候性に優れた合成樹脂シートが用いられる。
【００２１】
また、前記合成樹脂シート１おいて、粘着剤層２は、合成ゴム系、ポリオレフィン系、アクリル系、ポリエステル系、ポリアミド系、ポリウレタン系などの各種ホットメルト粘着剤からなるものとしており、その重合度によったり、可塑剤、安定剤等の種類や添加量によって、両側部１ａ、１ａと中央部１ｂの粘着力の強弱を調節している。
【００２２】
このように構成したこの発明の養生シートは、不使用時には、粘着剤層２の上に剥離紙（図示せず）を必要に応じ貼り合わせ、この粘着剤層２を内側にして合成樹脂シート１を巻回して、図に示したようにロール状にしておく。なお、粘着剤層２の上に剥離紙を貼り合わせた場合には、この粘着剤層２を外側にして合成樹脂シート１を巻回し、ロール状にしておいてもよい。
【００２３】
そして、家屋建築中の床パネル面などに施工する場合には、ロール状に巻回した合成樹脂シート１を引き出して、適宜寸法に裁断して、以下のようにして使用する。
【００２４】
すなわち、家屋建築中の床パネル面などへの施工時には、この発明の養生シートでも、従来と同様に、継目をオーバラップさせて使用する。この場合、そのオーバラップさせる部分の幅は、両側部１ａ、１ａの粘着剤層２の幅より小さくするが、その粘着剤層２の半分程度の幅とするのが好ましい。例えば、両側部１ａ、１ａの粘着剤層２の幅を１０ｃｍした場合には、オーバラップさせる部分の幅は５ｃｍにする。するとこの場合、この発明の養生シートでは、粘着力の強い両側部１ａ、１ａの粘着剤層２が１５ｃｍ幅で床パネル面に接着していることになり、粘着力の弱い中央部１ｂの粘着剤層２が７０ｃｍ幅で床パネル面に接着していることになる。
【００２５】
このようにすると、この発明の養生シートでは、オーバラップさせた継目の接着力が強いものとなり、簡単に捲れ上がらず、継目に隙間ができず、雨水等が床パネル面に浸入するおそれがないものとなる。
【００２６】
さらに、この発明の養生シートでは、養生シートが不要となったときに床パネル面から剥離する場合にも、床パネル面への接着面の大部分を占める粘着力の弱い中央部１ｂの粘着剤層２は、この床パネル面から弱い力で剥離することができるので、剥離し易くなり、その剥離作業に手間がかからないものとなる。
【図面の簡単な説明】
【００２７】
【図１】この発明の養生シートの一実施形態を示す斜視図である。
【図２】図１に示すこの発明の養生シートの幅方向における一側部の拡大断面図である。
【図３】この発明の養生シートの他の実施形態の幅方向における一側部の拡大断面図である。
【図４】この発明の養生シートのさらに他の実施形態の幅方向における一側部の拡大断面図である。
【図５】従来の養生シートの一例の構成を示す断面図である。
【図６】従来の養生シートの他の例の使用状態を示す断面図である。
【符号の説明】
【００２８】
１  合成樹脂シート
１ａ  側部
１ｂ  中央部
２  粘着剤層
【図１】
2009197519.tif 000003
【図２】
2009197519.tif 000004
【図３】
2009197519.tif 000005
【図４】
2009197519.tif 000006
【図５】
2009197519.tif 000007
【図６】
2009197519.tif 000008